(57)【特許請求の範囲】
【請求項１】
車両のドアフレームのピラー部に対して粘着テープを貼着するための治具であって、
前記粘着テープを保持可能な粘着テープ保持部と、
該粘着テープ保持部を前記ピラー部の上端側に固定するための固定部であって、前記ピラー部に連続する上部フレームの上部端縁の直線状の所定範囲に前記上部フレームの表面側から係合可能な上部端縁係合部を有して前記上部フレームに固定可能な固定部と、
前記固定部の前記係合部を前記上部端縁に当接させたとき前記コーナー部に連続するピラー部の直線状の側端縁の所定部位に前記ピラー部の表面側から当接可能な第一の位置決め部位と、前記固定部の前記係合部を前記上部端縁に係合させるとともに前記固定部を前記上部フレームに固定したとき前記所定部位に前記ピラー部の表面側から当接可能な第二の位置決め部位とを有する位置決め部と、
を備え、
前記位置決め部は、前記固定部の前記上部フレームへの固定時においてドアフレーム外側方向に露出される端面に、前記ピラー部の表面よりも内側方向に位置される部分を有している、治具。
【請求項２】
前記位置決め部は、前記固定部の前記係合部を前記上部端縁に当接させたときから前記固定部の前記上部端縁係合部を前記上部端縁に係合させるとともに前記固定部を前記上部フレームに固定したときまで、前記所定部位に対する当接状態が継続される、請求項１に記載の治具。
【請求項３】
前記位置決め部は、前記固定部の前記上部フレームへの固定時においてドアフレーム内側方向に突出されるバー状体である、請求項１又は２に記載の治具。
【請求項４】
前記位置決め部は、前記固定部の前記上部フレームへの固定時においてドアフレーム内側方向に突出されるとともに前記ピラー部の側端縁に沿うプレート状体である、請求項１又は２に記載の治具。
【請求項５】
前記端面の下方には、前記固定部の前記上部フレームへの固定時において前記ピラー部の表面側からドアフレーム内側方向に傾斜する傾斜部を備えている、請求項１〜４のいずれかに記載の治具。
【請求項６】
前記固定部は、前記上部端縁係合部とともに前記上部フレームを把持可能に前記上部フレームの下方端縁に係合する下部端縁係合部を有する、請求項１〜５のいずれかに記載の治具。
【請求項７】
前記上部端縁係合部と前記下部端縁係合部とは、弾性体の復元力によって前記上部フレームを把持可能に構成されている、請求項６に記載の治具。
【請求項８】
前記車両のドアフレームの上部フレームとピラー部との間には湾曲するコーナー部を有している、請求項１〜７のいずれかに記載の治具。
【請求項９】
前記車両のドアフレームの上部フレームとピラー部との間には、広角のコーナー部を有している、請求項１〜８のいずれかに記載の治具。
【請求項１０】
前記粘着テープは、テープ本体と、該テープ本体に分離可能に連結され前記粘着テープ保持部に装着可能なタブと、少なくとも前記テープ本体の裏面に付与される離型シートとを備えている、請求項１〜９のいずれかに記載の治具。
【請求項１１】
車両のドアフレームのピラー部表面に粘着テープを貼着する方法であって、
前記粘着テープは、テープ本体と、該テープ本体に分離可能に連結され前記治具の前記粘着テープ保持部に装着可能なタブと、少なくとも前記テープ本体の裏面に付与される離型シートとを備えており、前記ピラー部に対して、請求項１〜１０のいずれかの治具を用いて、前記粘着テープを貼着する工程を備える、貼着方法。
【請求項１２】
ピラー部表面にテープが貼着された車両のドアフレームの製造方法であって、
前記粘着テープは、テープ本体と、該テープ本体に離可能に連結され前記治具の前記粘着テープ保持部に装着可能なタブと、少なくとも前記テープ本体の裏面に付与される離型シートとを備えており、前記ピラー部に対して、請求項１〜１０のいずれかの治具を用いて、前記粘着テープを貼着する工程を備える、製造方法。
【発明の詳細な説明】
【技術分野】
【０００１】
この発明は、粘着テープの貼着に関し、特に、車両の縦柱部分など被貼着体の形状に応じて正確に貼着する要求のある粘着テープの貼着のための治具及び貼着方法に関する。
【背景技術】
【０００２】
従来より、図９に示すように、車両のドアフレーム２のセンターピラー部４に対して、ドアガラスとの一体感を表現するために例えば濃色の意匠層を有するテープを貼着加工することが行われている。このような貼着加工に際しては、当該部分の良好な外観を確保するために、粘着テープを当該部分の形状に応じ正確に貼着する必要がある。こうした課題を解決するため、出願人は、既に、粘着テープの位置決めとその後の貼着操作を簡易にかつ確実に行うための粘着テープ及び治具を既に開示している（特許文献１）。この治具２００は、例えば、ドアフレーム２のセンターピラー部４の上部端縁に固定し、この治具２００に粘着テープを装着し、粘着テープを前記センターピラー側フレームに貼着するようになっている。
【特許文献１】特開２００４−２７７５５８
【発明の開示】
【発明が解決しようとする課題】
【０００３】
こうした治具２００は、センターピラー部４の上端の直線的なコーナー部７を利用して位置決めされ固定されるようになっている。しかしながら、コーナー部が直線的でなく曲線の場合には、治具２００の位置決めも固定も困難であった。すなわち、カーブしていない直線的な上部フレーム８にのみ治具を固定しただけでは位置決めが困難であり、カーブ部分に位置決め箇所を設定しても、位置決め精度を確保するのは困難であった。また、カーブしたコーナー部７は広角なコーナー部であることが多く、その場合、センターピラー部４に対する粘着テープの貼着方向を考慮すると上部フレームのみでは安定して治具を固定できなかった。
【０００４】
そこで、本発明では、ドアフレームのピラー部表面に粘着テープを貼着するのに際し、コーナー部形状に関わらずドアフレームに対して正確に位置決め可能な粘着テープ用治具を提供することを一つの目的とする。また、本発明では、ドアフレームのピラー部表面に粘着テープを貼着するのに際し、コーナー部形状に関わらずドアフレームに対して安定して固定可能な粘着テープ用治具を提供することを一つの目的とする。
【課題を解決するための手段】
【０００５】
本発明者らは、ドアフレームへの治具の固定形態を種々検討した結果、ドアフレームの曲線コーナー部分に隣接する上部フレームの直線状部分を利用して固定するとともに、前記曲線コーナー部分に隣接するピラー部の側端縁の直線状部分を利用して位置決めすることで、治具を正確に固定でき、しかも粘着テープの貼着の際の負荷に対しても安定に初期位置に保持できることを見出し、本発明を完成した。すなわち、本発明によれば以下の手段が提供される。
【０００６】
本発明の一つの形態によれば、車両のドアフレームのピラー部に対して粘着テープを貼着するための治具であって、前記粘着テープを保持可能な粘着テープ保持部と、該粘着テープ保持部を前記ピラー部の上端側の所定位置に位置させるための固定部であって、前記ピラー部に連続する上部フレームの上部端縁の直線状の所定範囲に係合可能な上部端縁係合部を有して前記上部フレームに固定可能な固定部と、前記固定部の前記係合部を前記上部端縁に当接させたとき前記ピラー部の直線状の側端縁の所定部位に当接可能な第一の位置決め部位と、前記固定部の前記係合部を前記上部端縁に係合させるとともに前記固定部を前記上部フレームに固定したとき前記所定部位に当接可能な第二の位置決め部位とを有する位置決め部と、を備える、治具が提供される。
【０００７】
この発明によれば、前記固定部の前記上部端縁係合部の上部フレームの端縁へ当接させたときと前記固定部の上部フレームへ固定したときとにおいて、それぞれ第一の位置決め部位と第二の位置決め部位とにより固定部のドアフレームに対するに対する位置決めが行われる。すなわち、固定部のドアフレームへの固定のための初期の段階と最終固定時との双方において位置決めが可能となっている。これにより、位置決め時の位置決め状態を固定時においても容易に確保できる。この結果、治具を容易にかつ正確に適切な位置に固定できる。また、治具をドアフレームに対して固定したときにおいても、第二の位置決め部位により位置決め状態が維持されているので、安定した状態で粘着テープの貼着操作を行うことができる。
【０００８】
また、この発明によれば、第一のガイド部と第二のガイド部とは、ピラー部の直線状部を対象に位置決めするため、ピラー部の上部に湾曲したコーナー部を有していても確実に位置決めして固定できる。
【０００９】
前記位置決め部は、前記固定部の前記係合部を前記上部端縁に当接させたときから前記固定部の前記上部端縁係合部を前記上部端縁に係合させるとともに前記固定部を前記上部フレームに固定したときまで、前記所定部位に対する当接状態が継続されることが好ましい。こうすることで、治具の位置決めから固定するまでの固定化操作を容易に行うことができる。
【００１０】
前記位置決め部は、前記固定部の前記上部フレームへの固定時においてドアフレーム内側方向に突出されるバー状体とすることができる。こうしたバー状体を用いることで、ピラー部の側端縁近傍におけるテープ本体の貼着の際に干渉可能性のある部材容積を減容させることができる。また、位置決め部をバー状体とすることで、ピラー部の側端縁の所定部位に対して当接部位の小さい第一及び第二の位置決め部位を得ることができる。
【００１１】
前記位置決め部は、前記固定部の前記上部フレームへの固定時においてドアフレーム内側方向に突出されるとともに前記ピラー部の側端縁に沿うプレート状体とすることができる。こうしたプレート状体を用いることで、ピラー部の側端縁の所定範囲にわたって当接する第一及び第二の位置決め部位を得ることができる。
【００１２】
前記位置決め部は、前記第二の位置決め部位に隣接し、前記固定部の前記上部フレームへの固定時においてドアフレーム外側に向かって露出されるとともに前記ピラー部の表面と同一面又は該表面よりも内側に位置される端面を有している。こうした端面を有していることにより、粘着テープのピラー部表面への貼着操作を妨げることが抑制される。また、前記端面の下方には、前記固定部の前記上部フレームへの固定時において前記ピラー部の表面側からドアフレーム内側方向に傾斜する傾斜部を備えることができる。こうすることで、粘着テープの貼着に際してスキージーを用いる場合であっても、貼着操作を妨げることが抑制される。
【００１３】
前記固定部は、前記上部端縁係合部とともに前記上部フレームを把持可能に前記上部フレームの下方端縁に係合する下部端縁係合部を有することができる。こうした固定部によれば、治具が上部フレームに安定して固定される。また、前記上部端縁係合部と前記下部端縁係合部とは、弾性体の復元力によって前記上部フレームを把持可能に構成することができる。こうすることで、治具が上部フレームに強固に固定される。
【００１４】
前記車両のドアフレームの上部フレームとピラー部との間には湾曲するコーナー部を有することができる。こうしたコーナー部を有していても、本発明の治具によれば、治具を容易かつ正確に位置決めして固定することができる。また、前記車両のドアフレームの上部フレームとピラー部との間には、広角のコーナー部を有していてもよい。本発明の治具によれば、治具が安定して固定されているため、広角のコーナー部に連続するピラー部に対しても容易に粘着テープを貼着できる。
【００１５】
前記粘着テープは、テープ本体と、該テープ本体の前記粘着テープ保持部への装着側に備えられる分離可能に付与されるタブと、少なくとも前記テープ本体の裏面に付与される離型シートとを備えることができる。こうした粘着テープは、本発明の治具を適用することで、ピラー部に対して容易にかつ正確に貼着される。
【００１６】
また、本発明の一つの形態によれば、車両のドアフレームのピラー部表面に粘着テープを貼着する方法であって、前記粘着テープは、テープ本体と、該テープ本体に離可能に連結され前記治具の前記粘着テープ保持部に装着可能なタブと、少なくとも前記テープ本体の裏面に付与される離型シートとを備えており、前記ピラー部に対して、上記いずれかの治具を用いて、前記粘着テープを貼着する工程を備える、貼着方法が提供される。この貼着方法によれば、ドアフレームのピラー部表面に容易にかつ正確にテープを貼着できる。
【００１７】
さらに、本発明の一つの形態によれば、ピラー部表面にテープが貼着された車両のドアフレームの製造方法であって、前記粘着テープは、テープ本体と、該テープ本体に離可能に連結され前記治具の前記粘着テープ保持部に装着可能なタブと、少なくとも前記テープ本体の裏面に付与される離型シートとを備えており、前記ピラー部に対して、上記いずれかの治具を用いて、前記粘着テープを貼着する工程を備える、製造方法が提供される。この製造方法によれば、ピラー部表面に正確にテープが貼着された車両のドアフレームを容易に製造できる。
【発明を実施するための最良の形態】
【００１８】
（第１の実施形態）
以下、本発明を実施するための最良の形態について、適宜図面を参照しながら詳細に説明する。本実施形態は、自動車のフロントドアフレームのセンターピラー部（以下、ピラー部という。）に粘着テープを貼着するための治具について説明するものであり、図１には、本実施形態の治具１０の平面図を示し、図２には側面図を示し、図３には、治具１０を用いて貼着する粘着テープ１００を示し、図４には治具１０の使用例を示す。なお、本明細書において、治具における各部の方向を説明するのに、治具をドアフレームに固定したとき治具よりもドアフレーム側をドアフレーム内側方向というものとし、治具よりも外側方向をドアフレーム外側方向というものとする。
【００１９】
本実施形態の治具１０について説明するのにあたり、治具１０の各部の説明をわかりやすくするために、治具１０の説明に先だって、粘着テープ１００について説明する。図４に示すように、粘着テープ１００は、テープ本体１０２に分離可能に連結されたタブ１１０とこれらの裏面に粘着剤層１２０を介して備えられる離型シート１３０とを備えている。テープ本体１０２はピラー部４の表面４ａを被覆し、さらにその両側端縁４ｂ、４ｃの裏面に回り込むのに必要な大きさの長尺体に形成されている。タブ１１０はテープ本体１０２の上端縁に沿う略コの字状に形成されており、テープ本体１０２の上部端縁１０４に沿って配置されているとともに、上部端縁１０４の側部のミシン目Ｍでのみ連結されている。また、タブ１１０には、治具１０に備えられるピン２２ａ，２２ｂに係止される係止孔１１２ａ，１１２ｂを備えている。こうしたテープ本体１０２、タブ１１０の裏面にはそれぞれ粘着剤層を介して離型シート１３０を備えている。離型シート１３０には、表面のテープ本体１０２には到達しない深さでテープ本体１０２の貼着を容易にするためのスリットが形成されている。
【００２０】
次に、治具１０について説明する。図１に示すように、治具１０は、車両のドアフレーム２のピラー部４の表面４ａに粘着テープ１００のテープ本体１０２を貼るための治具であり、粘着テープ係止部材２０と、粘着テープ係止部材２０をピラー部４の上端の所定位置に固定するための固定部材３０と、固定部材３０により治具１０を適切な位置に固定するための位置決めバー４０とを備えている。
【００２１】
図１及び図２に示すように、係止部材２０は、ドアフレーム２への固定時においてピラー部４の表面４ａから所定高さ位置に維持されるように適当な高さの基部１１に対して固定されている。プレート状の基部１１に対して固定されており、係止部材２０は、粘着テープ１００のテープ本体１０２のピラー部４への貼着を妨げないようにピラー部４をまたぐような下方に開いた略コの字状に形成されている。係止部材２０の両側に下方を指向して延出される両側の脚部２１ａ、２１ｂには、粘着テープ１００のタブ１１０に設けられた係止孔１１２ａを係止するピン２２ａ、２２ｂを備えている。なお、係止部材２０の形態は、粘着テープ１００のタブ１１０及びテープ本体１０２の形状等に応じた形態を採ることができる。
【００２２】
図１及び図２に示すように、固定部材３０は、基部１１を介して係止部材２０に対して固定されている。固定部材３０は、上部フレーム８の上部端縁８ａの直線状の所定範囲にわたって２点で係合可能な係合部３４を有しているとともに、係合部３４に対向状に、上部フレーム８の下部端縁８ｂの直線状部分の所定範囲にわたって当接する当接部３８とを有している。また、係合部３４には、上部フレーム８の表面に当接可能にマグネット３６を備えている。この係合部材３０によれば、係合部３４が上部端縁８ａに係合し、さらに当接部３８が下部端縁８ｂに当接し、さらにマグネット３６が上部フレーム８の表面に吸着することで、上部フレーム８の直線状の所定範囲に対して治具１０を固定することができるようになっている。
【００２３】
図１及び図２に示すように、治具１０は、基部１１のピラー部４の側端縁４ｂの所定部位Ｂに当接可能な位置決めプレート４０を備えている。位置決めプレート４０は、基部１１１からドアフレーム内側方向に所定量突出形成されるとともにピラー部４の側端縁４ｂに沿って下方に延出形成されたＬ字状に形成されている。位置決めプレート４０は、ピラー部４の側端縁４ｂに沿う平面状の端面を治具１０を位置決めするために側端縁４ｂに当接する当接面４２として備えている。当接面４２は、治具１０の位置決め時において側端縁４ｂの所定範囲の直線状の所定部位Ｂに当接する位置決め時当接部位４２ａと、治具１０の固定時においても所定部位Ｂに当接する固定時当接部位４２ｂとを備えている。さらに、当接面４２の位置決め当接面４２ａと固定時当接部位４２ｂは位置決めプレート４０の連続した一平面上にあるため、当接面４２は、治具１０の位置決め時から固定時までの間の治具１０の回動操作の間も所定部位Ｂに当接するようになっている。この結果、当接面４２は、治具１０のドアフレーム２に対する位置決め時からドアフレーム２への固定時まで継続して所定部位Ｂに対して面接触状に当接するようになっている。
【００２４】
こうした当接面４２に隣接する位置決めプレート４０の表面側の端面４４は、治具１０の固定時において、ピラー部４の表面４ａから突出しないように、該表面４ａと同一面又はそれより内側となるように形成されている。また、端面４４の下端部分は、ピラー部４の表面４ａから下方に傾斜した斜面部４５となっている。
【００２５】
次に、この治具１０を用いてドアフレーム２のピラー部４にテープ本体１０２を貼着する操作の一例について図４を例示して説明する。図４（ａ）に示すように、まず、治具１０をドアフレーム２に対して位置決めするには、治具１０の固定部材３０の係合部３４を上部フレーム８の上部端縁８ａの直線状部分に係止させる。次に、図４（ｂ）に示すように、治具１０を上部端縁８ａに沿って適宜移動させて、位置決めプレート４０の当接面４２の位置決め時当接部位４２ａが所定部位Ａに当接する位置で治具１０を位置決めする。
【００２６】
次いで、図４（ｃ）に示すように、上部端縁８ａに対する治具１０の位置を当接面４２を所定部位Ａに当接させて維持しつつ治具１０を上部端縁８ａを中心に下方に回動させ、さらに、当接面４２ｂを下部端縁８ｂに当接させて、係合部３４と当接部３８とで上部フレーム８を保持させる（図４（ｄ）参照）。これにより治具１０はドアフレーム２に対して固定される。こうした治具１０の回動操作の間、当接面４２は、継続して所定部位Ａに当接し、位置決め時の位置決め状態が安定して維持され、当接部３８が下部端縁８ｂに当接して固定部材３０が上部フレーム８を保持したとき（治具１０を上部フレーム８に固定したとき）には、当接面４２の固定時当接部位４２ｂが所定部位Ｂに当接して位置決め時の位置決め状態がそのまま維持することができる。なお、治具１０の上部フレーム８への固定時においては、位置決めプレート４０の端面４４は、ピラー部４の表面４ａと同一平面かあるいはそれよりも内側に位置されている。
【００２７】
こうしてドアフレーム２に対して位置決めされ固定された治具１０の係止部材２０のピン２２ａ、２２ｂに対して粘着テープ１００のタブ１１０の係止孔１１２ａ、１１２ｂを掛けることで、粘着テープ１００のテープ本体１０２の上部端縁１０４がピラー部４に対して正確に位置決めされる。テープ本体１０２の上部端縁１０４が位置決めされると、テープ本体１０２の長さ方向を位置決めは容易になされる。この後、テープ本体１０２の裏面の離型シート１３０をテープ本体１０２の長さの上半分程度を剥離して、離型シート１３０を剥離したテープ本体１０２の部分を下から上に向かってスキージー等で押し当てながらテープ本体１０２をピラー部表面４ａに貼着する。スキージーをテープ本体１０２の上端縁まで到達させたとき、スキージーによる外力により、係止部材２０に係止したタブ１１０とテープ本体１０２とを連結していたミシン目Ｍが断裂して、タブ１１０とテープ本体１０２とは完全に分離される。
【００２８】
タブ１１０と分離されたテープ本体１０２の下半分は、下半分の離型シート１３０を剥離した上、ピラー部表面４ａにスキージー等で貼着される。さらに、その後、テープ本体１０２の裏面の両側端縁に沿う離型シート１４０ａ、１４０ｂを剥離して、ピラー部４の両側端縁４ｂ、４ｃを裏面までテープ本体１０２で巻き込んで貼着作業を終了する。
【００２９】
以上、説明した治具１０によれば、位置決め時において位置決め時当接部位４２ａがピラー部４の側端縁４ｂの所定部位Ａに当接することで固定部材３０の係合部３４の上部フレーム８の上部端縁８ａへの固定位置を定めることができるため、簡易に位置決めが可能となっている。係合部３４が係合する部位と当接面４２が当接する所定部位Ａとはそれぞれドアフレーム２の上部端縁８ａ及び側部端縁の直線状部であるので、ドアフレーム２のコーナー部７の形状に関わらず治具１０のドアフレーム２に対する位置決めが可能となっている。
【００３０】
また、位置決めプレート４０の当接面４２は、治具１０の位置決めにおいてはその一部４２ａにて所定部位Ａに当接するが、その後、治具１０を上部端縁８ａを中心に回動させて固定部材３０が上部フレーム８を把持して固定するのに至る間において継続して所定部位Ａに当接し、位置決め状態を確保した状態での固定化操作ができるようになっている。このため、こうした操作中において一旦位置決めした治具１０がずれたりすることがない。さらに、治具１０の固定時においては、端面４４及び傾斜部４５はピラー部４の表面４ａに突出されないようになっているため、スキージーのスライド操作を妨げることがなく、位置決めしつつもテープ本体１０２の貼着操作を妨げないようになっている。さらにまた、治具１０によれば、テープ本体１０２をピラー部４方向に引っ張る操作時の負荷を効果的に支持できるようになっている。
【００３１】
また、位置決めプレート４０が、ピラー部４の側端縁４ａ上の所定部位Ａに面接触状態で接触されるため、治具１０の位置決め時及び固定時において確実に位置決めでき、安定して位置決め状態を維持できる。
【００３２】
さらに、治具１０の固定部材３０の係止部３４と当接部３８が上部フレーム８に係止されて治具１０をドアフレーム２に固定したときには、当接面４２ｂが所定部位Ａに当接する。これにより治具１０は正確に位置決めされた状態で固定される。そして、治具１０に粘着テープ１００を装着してテープ本体１０２のピラー部表面４ａへの貼着操作の際には、コーナー部７を挟んで上部フレーム８の上部端縁８ａの直線状部に固定した固定部材３０とピラー部４の側端縁の直線状部に当接する位置決めプレート４０とによって、テープ本体１０２をピラー部４方向に引っ張る操作時の負荷を効果的に支持できるようになっている。特に、コーナー部７を挟んで２点で支持しているので、ドアフレーム２のコーナー部７が９０°を超える広角状であって、ピラー部４の側端縁４ｂが車両後方へ傾斜している場合であっても、貼着操作の間治具１０は安定してドアフレーム２に保持される。
【００３３】
以上説明した本実施形態の治具１０においては、係止部材２０が、本発明の治具の粘着テープ保持部に相当し、固定部材３０が固定部に相当し、位置決めプレート４０が位置決め部に相当し、当接面４２ａが第一の位置決め部位に相当し、当接面４２ｂが第二の位置決め部位に相当し、固定部材３０が固定部に相当している。
【００３４】
（第２の実施形態）
次に、本発明の治具の第２の実施形態について、図５〜図８に基づいて説明する。なお、以下の説明においては、第１の実施形態と同様の部材については同じ符号を付して説明する。
【００３５】
図５に示すように、治具５０は、粘着テープ係止部材２０と、粘着テープ係止部材２０をピラー部４の上端の所定位置に固定するための固定部材７０と、固定部材７０により治具５０を適切な位置に固定するための位置決めバー４０とを備えている。
【００３６】
図５及び図６に示すように、固定部材７０は、基部５１を介して係止部材２０に対して固定されている。固定部材７０は、ドアフレーム２の上部フレーム８の直線状部分の上下端縁８ａ、８ｂに係合して把持する把持部材７２、７６を備えている。上側の把持部材７２は、上部フレーム８の上部端縁８ａの直線状部分の一定範囲に係合可能でスライド移動可能な係合部７４と、この係合部７４を操作可能に手などで把持できる操作部７５とを備えている。係合部７４は、上部フレーム８の上部端縁８ａに２点で係合するような係止片７４ａ、７４ｂをその両端部に備えている。係合部７４は、治具５０を上部フレーム８に対して斜めの状態で係止片７４ａ、７４ｂを上部端縁８ａに軽く当てたとき、治具５０を上部端縁８ａに沿ってスライドできるように形成されている。
【００３７】
他方の把持部材７６は、下部端縁８ｂの直線状部分の一定範囲に係合可能な係合部７８と操作部７５とともに手などで操作可能な操作部７９とを備えている。操作部７５、７９が図示しないばね体の復元力に抗して把持されると係合部７５、７８が開拡されるようになっているとともに、バネ体の復元力が係合部７４、７８が上部フレーム８を把持することを付勢するようになっている。
【００３８】
図５及び図７に示すように、位置決めバー８０は、係止部材２０のピラー部４の側端縁４ｂ寄りに形成されており、側端縁４ｂの直線状部分の所定部位Ｂに当接するように形成されている。位置決めバー８０は、図７に示すように、所定の長さでドアフレーム内側方向に突出される略円柱状体に形成されており、係止部材２０の脚部２１ｂの裏面側近傍に位置され、基部５１から所定部位Ｂのやや外側よりを指向して延出される軸部８１の先端に備えられている。図７に示すように、本実施形態においては、軸部７１と位置決めバー８０とは一体に形成されており、これらは全体としてＬ字状に形成されている。
【００３９】
位置決めバー８０は、ピラー部４の側端縁４ｂ側に突出する曲面状の端面を、治具５０を位置決めするために側端縁４ｂに当接する当接面８２として備えている。当接面８２は、治具５０の位置決め時において側端縁４ｂの直線状部の所定部位Ｂに当接する位置決め時当接部位８２ａと、治具５０の固定時においても所定部位Ｂに当接する固定時当接部位８２ｂとを備えている。さらに、当接面４２の位置決め当接面８２ａと固定時当接部位８２ｂとは位置決めバー８０の連続した当接面８２上にあるため、当接面８２は、治具５０の位置決め時から固定時までの間の治具５０の回動操作の間も所定部位Ｂに当接するようになっている。また、当接面８２の所定部位Ｂ側は曲面状であって、所定部位Ｂとは点接触状に当接される。この結果、当接面８２は、治具５０のドアフレーム２に対する位置決め時からドアフレーム２への固定時まで継続して所定部位Ｂに対して点接触状に当接するようになっている。
【００４０】
位置決めバー８０の当接面８２に隣接してドアフレーム外側方向に露出される端面８４は、ピラー部４の表面４ａと同一平面となるかあるいはそれよりもドアフレーム内側方向裏面方向に下がっている。特に、端面８４の下端側には、ピラー部表面４ａからドアフレーム内側方向に傾斜する傾斜部８５を有している。
【００４１】
次に、この治具５０を用いてドアフレーム２のピラー部４にテープ本体１０２を貼着する操作の一例について図８を例示して説明する。図８（ａ）に示すように、まず、治具５０をドアフレーム２に対して位置決めするには、治具５０の固定部７３０の操作部７５、７９を手で把持して、治具５０をドアフレーム２に対して斜めに支持し、ドアフレーム２の上部フレーム８の上部端縁８ａの直線状部分に係合部３４を当てる。次に、図８（ｂ）に示すように、治具５０を上部端縁８ａに沿ってスライド移動させ、位置決めバー８０の位置決め時当接部位８２ａが所定部位Ｂに当接するスライド位置にて治具５０を止めることで治具５０を位置決めする。
【００４２】
次いで、図８（ｃ）に示すように、操作部７５、７９を把持して上部端縁８ａに対する治具５０の位置を維持しつつ治具５０を上部端縁８ａを中心に下方に回動させ、さらに、操作部７５，７９を強く把持して係合部７４、７８を開拡させ、係合部７８を下部端縁８ｂに係合させる。操作部７５、７９への負荷を解除すれば、ばね体の復元力によって固定部材７０は、上部フレーム８を把持して上部フレーム８に固定される（図８（ｄ）参照）。治具５０の当接面８２は、こうした治具５０の回動操作の間、継続して所定部位Ｂに当接しており、位置決め時の位置決め状態が安定して維持される。そして、治具５０が上部フレーム８に固定された時点においては、当接面８２ｂが所定部位Ｂに当接し、位置決め時の位置決め状態がそのまま維持され固定される。また、固定時においては、位置決めバー８０の端面４４は、ピラー部４の表面４ａと同一平面かあるいはそれよりも内側に位置されている。
【００４３】
以下、第一の実施形態と同様にして粘着テープ１００のタブ１１０を係止部材２０に取り付け、その後貼着操作することにより、テープ本体１０２を容易にかつ正確にピラー部４の表面４ａに貼着することができる。
【００４４】
以上、説明した治具５０によれば、位置決め時において位置決め時当接部位８２ａがピラー部４の側端縁４ｂの所定部位Ａに当接することで固定部材７０の係合部７４の上部フレーム８の上部端縁８ａへの固定位置を定めることができるため、簡易に位置決めが可能となっている。係合部７４が係合する部位と当接面７２が当接する所定部位Ｂとはそれぞれドアフレーム２の上部端縁８ａ及び側部端縁の直線状部であるので、ドアフレーム２のコーナー部７の形状に関わらず治具５０のドアフレーム２に対する位置決めが可能となっている。
【００４５】
また、位置決めバー８０の当接面４２は、治具５０の位置決めにおいてはその一部４２ａにて所定部位Ｂに当接するが、その後、治具５０を上部端縁８ａを中心に回動させて固定部材７０が上部フレーム８を把持して固定するのに至る間において継続して所定部位Ｂに当接し、位置決め状態を確保した状態での固定化操作ができるようになっている。このため、こうした操作中において一旦位置決めした治具５０がずれたりすることがない。また、位置決めバー８０は、ピラー部４の側端縁４ｂに対してその側方から突出するように形成され点接触状態で所定部位Ｂに当接するようになっているため、治具５０の固定化操作中において容易に当接状態を維持することができるとともに、治具５０の固定化操作を妨げないようになっている。さらに、側端縁４ｂ近傍に存在する部材量が少なくなっているため、テープ本体１０２の貼着操作を妨げないようにもなっている。
【００４６】
さらに、治具５０の固定部材３０の把持部材７２，７６が上部フレーム８を把持して治具５０をドアフレーム２に固定したときには、当接面８２ｂが所定部位Ｂに当接する。これにより治具５０は正確に位置決めされた状態で固定される。そして、治具５０に粘着テープ１００を装着してテープ本体１０２のピラー部表面４ａへの貼着操作の際には、コーナー部７を挟んで上部フレーム８の上部端縁８ａの直線状部に固定した固定部材７０とピラー部４の側端縁の直線状部に当接する位置決めバー８０とによって、テープ本体１０２をピラー部４方向に引っ張る操作時の負荷を効果的に支持できるようになっている。特に、コーナー部７を挟んで２点で支持しているので、ドアフレーム２のコーナー部７が９０°を超える広角状であって、ピラー部４の側端縁４ｂが車両後方へ傾斜している場合であっても、貼着操作の間治具５０は安定してドアフレーム２に保持される。
【００４７】
加えて、治具５０によれば、当接部７６がピラー部４の側端縁４ｂばね体の復元力を利用して上部フレーム８を把持するため、強固に治具５０をドアフレーム２に固定することができる。また、位置決めバー８０の端面８４は、治具５０の固定時には、ピラー部表面４ａと同一面かそれより内側に位置されるため、テープ本体１０２を貼着するためのスキージー操作を妨げることがなく、さらに、端面８４のピラー部４の下端方向側は、ピラー部表面４ａからピラー部４の下端方向へ傾斜する傾斜部８５を有しているため、スキージーの上方への移動を干渉することがないようになっている。
【００４８】
また、固定部材７０の挟持部材７２の係止部７４は、上部フレーム８の上部端縁８ａを２点で係合するような係止片７４ａ、７４ｂを備えているため、上部端縁８ａへの係止操作が容易であるとともに、係止片の先端部を上部端縁８ａに当接させることで安定した位置決め操作が可能となっている。
【００４９】
以上説明した本実施形態の治具５０においては、係止部材２０が、本発明の治具の粘着テープ保持部に相当し、固定部材７０が固定部に相当し、位置決めバー８０が位置決め部に相当し、当接面８２ａが第一の位置決め部位に相当し、当接面８２ｂが第二の位置決め部位に相当している。
【００５０】
以上説明したこれらの実施形態においては、位置決め部をバー状又はプレート状としたがこれに限定するものではなく、治具の位置決め時及び固定時において、ピラー部の側端縁に当接して接触可能な形状を有していればその形態は問わないで用いることができる。また、位置決め部は、治具に固定されている必要があるが、位置決め時及び固定時において側端縁４ｂの位置決めのための所定部位に当接可能であれば、治具の基部や粘着テープ保持部に対して移動可能に形成されていてもよい。例えば、第二の実施形態の治具５０の場合には、粘着テープ係止部材２０の近傍で位置決めバー８０をドアフレームの外側方向と内側方向にスライド移動可能に形成することができ、第一の実施形態の治具１０の場合には、基部１１を中心として位置決めプレート４０を回動可能に形成することもできる。このように、位置決め部材を治具の位置決め時と固定時とで異なる位置に配置できるように移動可能とすることで、治具自体を回動させることなく、治具の位置決めから固定までを行うことができる。
【００５１】
これらの実施形態においては、粘着テープ１００を保持する手段として係止ピン（治具側）と係止孔（粘着テープ側）との組み合わせを用いたが、これに限定するものではなく、挟持や接着など他の公知の固定手法を用いるものとすることもできる。
【００５２】
これらの実施形態においては、固定部としては、ドアフレームの上部フレームを把持したり係合させたりして保持するものとしたが、これに限定するものではなく、上部フレームを利用して固定可能な手段であればよい。固定部における固定手段としては、上部フレームの端縁への係合や係止を含む上記実施形態における固定手段のほか、ネジ、クランプ等の圧締め部材、マグネットなどの吸着部材などの他の固定要素を用いるものであってもよい。
【００５３】
また、第一の実施形態においては、固定部は、ばね体の復元力を利用するものとしたが、本発明はこれに限定するものではなく、また、弾性体としてばね体に限定しないで、復元力を発揮可能な他の公知の弾性体を用いることができる。また、第二の実施形態においては、マグネットによる吸着力を組み合わせて利用するものとしたが、これに限定するものではなく、固定部材は上部フレームへの係合のみによって固定されるものであってもよい。
【００５４】
これらの実施形態においては、アプリケーションフィルムを有しないで貼付け用タブ１１０を有する粘着テープ１００を貼着するものとしたが、これに限定するものではなく、アプリケーションフィルムを有する粘着テープに適用することも可能である。なお、この場合、アプリケーションフィルムの所定部位がテープ保持部に保持されることになる。また、これらの実施形態においては、図４に示す粘着テープ１００を貼着するものとしたが、粘着テープ１００におけるタブ１１０やテープ本体１０２とタブ１１０との連結形態はこれに限定するものではなく、ピラー部形状や治具形状等によって種々の態様の粘着テープを利用できる。こうした粘着テープ１００としては、特開２００４−２７７５５８に記載の粘着テープを用いることができる。
【００５５】
これらの実施形態においては、フロントドアフレーム２のセンターピラー部４を被貼着体としたが、リアドアフレームのピラー部を被貼着体としてもよい。
【００５６】
これらの実施形態では、本発明を粘着テープの貼付け用治具の形態として説明したが、本発明の他の実施形態である車両のドアフレームのピラー部表面に粘着テープを貼着する方法やピラー部表面にテープが貼着された車両のドアフレームの製造方法として実施することができることは明らかである。
【００５７】
以上、本発明の実施の形態について説明したが、本発明はこうした実施形態に何等限定されるものではなく、本発明の要旨を逸脱しない範囲内において、種々なる形態で実施し得ることは勿論である。
【図面の簡単な説明】
【００５８】
【図１】第一の実施形態の治具の斜視図（ａ）と位置決めプレートの斜視図（ｂ）である。
【図２】第一の実施形態の治具の平面図（ａ）と側面図（ｂ）及び（ｃ）を示す図である。
【図３】粘着テープ１００を示す図である。
【図４】治具の使用例（ａ）〜（ｄ）を示す図である。
【図５】第二の実施形態の治具の平面図である。
【図６】治具の固定部材側の側面図である。
【図７】治具の位置決めバー側の側面図（ａ）と位置決めバーの斜視図（ｂ）である。
【図８】治具の使用例（ａ）〜（ｄ）を示す図である。
【図９】従来のドアフレームのセンターピラーへの治具の装着状態を示す図である。
【符号の説明】
【００５９】
２  ドアフレーム、４  ピラー部、４ａ  ピラー部表面、４ｂ、４ｃ  側端縁、７  コーナー部、８  上部フレーム、８ａ  上部端縁、８ｂ  下部端縁、１０、５０  治具、１１，５１  基部、２０  粘着テープ係止部材、２２ａ，２２ｂ  ピン、３０、７０  固定部材、３４、７４、７８  係合部、７５、７９  操作部、４０  位置決めプレート、４２、８２  当接面、４２ａ、８２ａ  位置決め時当接部位、４２ｂ、８２ｂ  固定時当接部位、４４、８４  端面、４５、８５  傾斜部、７２、７６  把持部材、８０  位置決めバー、１００  粘着テープ、１０２  テープ本体、１１０  タブ、１１２ａ、１１２ｂ  係止孔、１２０  粘着剤層、１３０  離型シート、Ａ，Ｂ  所定部位、Ｍ  ミシン目。
【図１】
0004762686.tif 000002
【図２】
0004762686.tif 000003
【図３】
0004762686.tif 000004
【図４】
0004762686.tif 000005
【図５】
0004762686.tif 000006
【図６】
0004762686.tif 000007
【図７】
0004762686.tif 000008
【図８】
0004762686.tif 000009
【図９】
0004762686.tif 000010